(57)【要約】【課題】使用しやすい点眼剤容器を、コストを上げることなく製造するための技術を提供すること。【解決手段】容器本体、この容器本体の開口部に挿入された点眼ノズルおよび点眼ノズルを開閉するキャップよりなる点眼剤容器において、ノズルを着色材料で形成し、キャップを透明ないし半透明材料で形成したことを特徴とする点眼剤容器。【選択図】　図１
2004089609.tif 000002
【特許請求の範囲】
【請求項１】
容器本体、この容器本体の開口部に挿入された点眼ノズルおよび点眼ノズルを開閉するキャップよりなる点眼剤容器において、ノズルを着色材料で形成し、キャップを透明ないし半透明材料で形成したことを特徴とする点眼剤容器。
【請求項２】
キャップの透明ないし半透明材料が着色されたものである請求項第１項記載の点眼剤容器。
【請求項３】
容器本体が、透明または半透明材料で形成されてなる請求項第１項記載の点眼剤容器。
【請求項４】
容器本体の透明ないし半透明材料が着色されたものである請求項第３項記載の点眼剤容器。
【請求項５】
容器本体の着色が、点眼ノズルの色を薄くした色である請求項第４項記載の点眼容器。
【請求項６】
容器本体の着色が、点眼ノズルの色の補色である請求項第４項記載の点眼容器。
【発明の詳細な説明】
【０００１】
【発明の属する技術分野】
本発明は点眼剤容器に関し、更に詳細には、誤使用を未然に防ぐことができ、使用性の良い点眼剤容器に関する。
【０００２】
【従来の技術】
点眼剤を充填する点眼剤容器は、その性質上容器の大きさが小さく、しかもその形状はいくつかの形に限定されてしまっている。そして、この点眼剤容器には、薬剤名や使用方法等が記載されているが、目の悪い患者にとってはこれを読みとることが難しく、誤使用という問題が生じることがあった。
【０００３】
このような問題を解決するための技術としては、例えば、容器本体の上部に装着するキャップ頂面に内容物に対応した色の塗料を塗布すること（実開昭６３−２００４４１号）が知られているが、キャップ頂面の塗布という新しい工程が入るため、コストが上がり、また容器の形状が頂面がフラットなものに限られるという欠点があった。
【０００４】
また、点眼剤を目に滴下するには、点眼剤容器の点眼ノズル先端を目の真上に置くことが必要であるが、先端位置を誤り、目以外の部分に滴下して点眼薬を無駄にしたり、衣服を汚してしまうという問題もあった。
【０００５】
点眼薬を、正しく目に滴下するために、点眼ノズル先端を他の部分と全く異なる色とすること（実開昭６０−１６０８３６号）が知られているが、先端部を着色させるためには、やはり追加の工程が必要となりコストが上がるという欠点があった。
【０００６】
【発明が解決しようとする課題】
従って本発明は、より使用しやすい点眼剤容器を、コストを挙げることなく製造するための技術の提供をその課題とするものである。
【０００７】
【課題を解決するための手段】
本発明者は、上記課題を解決すべく鋭意検討を行った結果、点眼ノズル全体を着色材料で形成し、更に、点眼剤容器のキャップ自体を点眼ノズル部分が見える材料で形成すれば、視力の衰えた患者でも小さなラベルの記載に頼らず日常使用している点眼薬かどうかを容易に判断でき、誤使用の危険性が低下することを見出し、本発明を完成した。
【０００８】
すなわち本発明は、容器本体、この容器本体の開口部に挿入された点眼ノズルおよび点眼ノズルを開閉するキャップよりなる点眼剤容器において、ノズルを着色材料で形成し、キャップを透明ないし半透明材料で形成したことを特徴とする点眼剤容器である。
【０００９】
【発明の実施の形態】
以下、本発明の点眼剤容器の態様を示すいくつかの図面と共に説明を行う。
【００１０】
図１は、本発明の点眼剤容器の一態様の部分断面図である。図中、１は点眼ノズル、２はキャップ、３は容器本体である。
【００１１】
点眼ノズル１は、容器本体３に挿入され、その中心の穴から点眼液を流出させることが可能となっている。この点眼ノズル１は着色材料で、好ましくは不透明に形成されている。この点眼ノズル１を形成する着色材料としては、ポリエチレン等のプラスチック材料に、種々のプラスチック用顔料ないしは染料を添加して着色したものが挙げられる。より具体的には、市販のプラスチック原料であるベース原料スミカセンＧ２０１等に、同じく市販の市販のプラスチック用顔料である顔料ＲＰＲ６７４４（ピンク）、ＴＰ２ＭＡ０４５（黄色）、ＴＰ７８９１Ｍ（青色）、ＰＰＫ３６４１（緑色）等を添加し、十分に混合させた着色材料を使用することができる。
【００１２】
一方、キャップ２は、閉止したときであっても点眼ノズル１が見えるような、透明ないし半透明材料で形成される。このような透明ないし半透明材料としては、ポリプロピレン、アクリロニトリル・スチレン樹脂等のプラスチック材料が挙げられる。このキャップ２を形成するために使用される透明ないし半透明材料は、着色したものであっても良い。
【００１３】
更に、容器本体３は、一般に点眼剤容器として使用されている容器がそのまま使用され、その材質について特に制約はなく、種々のプラスチックを利用することができる。またその外観についても、透明、半透明、不透明の何れであっても良く、また着色、非着色の何れであっても良い。
【００１４】
しかしながら、デザイン的に見たときには、点眼ノズル１と容器本体３の色調を調和させることが好ましい。例えば、容器本体３を、点眼ノズル１の色を薄くした色として調和させることができる。具体的には、点眼ノズル１の着色が濃い水色や緑色の場合、容器本体３を薄い水色や緑色で着色した透明材料で調製することが好ましい。また、容器本体３の色を点眼ノズル１の着色の補色としても良い。
【００１５】
上記態様の点眼剤容器について、キャップ２を通して点眼ノズル１の着色が見える状態を写真で示す（図２および参考写真１）。
【００１６】
また図３は、医療用に使用できる点眼剤容器の部分断面図である。図中、１は点眼ノズル、２はキャップ、３は容器本体である。
【００１７】
この態様の点眼剤容器は、キャップ２と容器本体３がほぼ同じ径の円筒形をなしている。そして、キャップ２は図１の態様と同様、透明ないし半透明な材料で形成され、容器本体３に挿入された点眼ノズル１は着色された材料で形成されている。
【００１８】
この態様での点眼ノズル１およびキャップ２の材料も上記と同じものを使用することができる。
【００１９】
本発明の点眼剤容器は、上記した点眼ノズル全体を着色材料で形成することおよびキャップを透明ないし半透明材料で形成する以外は常法に従って製造することができる。すなわち、点眼ノズル１、キャップ２および容器本体３は公知の成型方法に従って製造することができ、その形状も適宜選択することができる。
【００２０】
【作用】
従来の点眼剤容器では、容器を構成する要素自体はどれも同じであり、容器本体３に貼付したラベルによって各点眼剤を区別していた。これに対し、本発明の点眼剤容器では、透明ないし半透明なキャップ２を通して点眼ノズル１の色彩が見えるので、この点眼ノズル１に付した色により、キャップ２の開閉の如何に関わらず点眼剤の種類を判別することを可能としたものである。
【００２１】
【発明の効果】
本発明の点眼剤容器では、キャップの開閉の如何によらず、点眼ノズルの色彩により点眼剤の種類の判別が可能となるので、日常使用する点眼剤について、その点眼ノズル１の色を覚えておけば、ラベルの細かい文字を読むことなく正しい点眼剤を滴下することができるので、誤投与の可能性も低くなる。
【００２２】
また、複数の点眼剤を順次滴下する様な場合でも、投与する順番を色の順番で覚えておくことにより、点眼剤を正しく目に投与することが可能となる。
【００２３】
更に、点眼ノズル１全体が着色されるので、たとえ眼疾病により視力が低下していたとしても点眼ノズル１の位置を認識することが可能であり、正しく目の中に点眼剤を投与することができる。
【００２４】
このように、本発明の点眼剤容器は、誤使用を未然に防ぐことができ、しかも点眼しやすいものであり、点眼剤の分野において広く利用することができるものである。
【図面の簡単な説明】
【図１】本発明の点眼剤容器の一態様の部分断面図
【図２】本発明の点眼剤容器の外観を示す写真
【図３】本発明の点眼剤容器の別の態様の部分断面図
【符号の説明】
１　…　…　点眼ノズル
２　…　…　キャップ
３　…　…　容器本体
以　　　上
【図１】
2004089609.tif 000003
【図２】
2004089609.tif 000004
【図３】
2004089609.tif 000005